(57)【特許請求の範囲】
【請求項１】
排水栓を設けた排水口と離間して遠隔位置に配設された操作部に開ボタンと閉ボタンを設け、開ボタンの操作がされた場合には、この開動作による開信号がデジタル信号処理される無線で送信部より排水栓内在の駆動部に送信されるとともに、開閉動作表示部に開動作表示され、また、閉ボタンの操作がされた場合には、この閉動作による閉信号がデジタル信号処理される無線で送信部より排水栓内在の駆動部に送信されるとともに、開閉動作表示部に閉動作表示され、排水栓内在の駆動部には、開または閉信号を受信する受信部、排水栓の開または閉状態を検出する開または閉センサー（位置センサー）、該開または閉信号による開または閉センサーのＯＮまたはＯＦＦの状態が判断されてモータを停止し、または、正転、逆転の作動をさせる開閉動作部が設けられ、駆動部の受信部に開または閉信号が受信されて、該駆動部の開閉動作部が、開信号を受信した場合には、該開信号によって排水栓配備の開センサー（位置センサー）の状態にＯＮが検出されたならばモータを停止し、ＯＦＦが検出されたならばモータを正転させ、回転伝達軸を回転上昇させて排水栓を開き、そして、閉信号を受信した場合には、該閉信号によって排水栓配備の閉センサー（位置センサー）の状態にＯＮが検出されたならばモータを停止し、ＯＦＦが検出されたならばモータを逆転させ、回転伝達軸を回転下降させて排水栓を閉じ、これらによる排水栓の開閉状態を開閉状態信号送信部によってデジタル信号処理される無線による送信で操作部の開閉状態信号受信部が受信されて、開閉状態表示切替部によって、開閉動作表示部を開閉動作表示から開閉状態表示に切替え表示することを特徴とする排水栓遠隔操作開閉方法。
【請求項２】
排水栓を設けた排水口と離間して遠隔位置に配置された操作部には、排水栓の開閉操作をする開ボタンと閉ボタン、その開または閉ボタンの開閉動作を表示する開閉動作表示部、該開閉動作による開または閉信号を排水栓内在の駆動部へデジタル信号処理される無線で送信する開閉信号送信部、及び排水栓の開閉状態がデジタル信号処理される無線で受信され、開閉動作表示部の開または閉動作表示から開または閉状態表示に切替える開閉状態表示切替部を具備し、排水口を開閉する排水栓には、その内部に、電源（電池）と、操作部の開ボタンまたは閉ボタンの操作による開または閉信号をデジタル信号処理される無線で受信する開閉信号受信部、排水栓の開または閉状態を検出する開または閉センサー（位置センサー）、及び開または閉信号を受けて開または閉センサーのＯＮまたはＯＦＦの状態が判断されてモータを停止し、または、正転、逆転の作動をさせる開閉動作部でなる駆動部とが設けられ、操作部の開または閉ボタンの操作による開または閉信号が排水栓内在の駆動部の開閉信号受信部で受信されて、駆動部の開閉動作部によって、排水栓の開または閉状態を開または閉センサーのＯＮ、ＯＦＦによって検出し、開ボタンの操作による開信号で、開センサーにＯＮが検出されたならば排水栓内在のモータを停止し、開センサーにＯＦＦが検出されたならば排水栓内在のモータを正転させて回転伝達軸を回転上昇させ、排水栓を開き、閉ボタンの操作による閉信号で、閉センサーにＯＮが検出されたならば排水栓内在のモータを停止し、閉センサーにＯＦＦが検出されたならば排水栓内在のモータを逆転させて回転伝達軸を回転下降させ、排水栓を閉じる作動がされ、そして、モータの停止による排水栓の開閉状態をデジタル信号処理される無線で、操作部の排水栓開閉状態信号受信部に送信する開閉状態信号送信部が備えられていることを特徴とする排水栓遠隔操作開閉装置。
【請求項３】
排水栓が、栓蓋部と軸棒部とで構成される本体ケースと、該本体ケースに被蓋する栓カバーとでなり、排水口の排水口金具に支持された支持部材には栓開閉摺動軸が固設されて、該栓開閉摺動軸に前記本体ケースがその軸棒部を摺動させて昇降され、本体ケース内には、電池（電源）と、開閉信号受信部、開閉センサー、開閉動作部等の駆動部とが埋設され、軸棒部には、支持部材に固設される栓開閉摺動軸を摺動昇降する軸棒部が摺動昇降する上限点とされる位置に開センサーを設置し、軸棒部が下限点とされる位置に閉センサーを設置し、開または閉ボタンの遠隔操作による開または閉信号によって開または閉センサーのＯＦＦ状態が判断されて、モータを正転または逆転し、この正転または逆転によって軸棒部内に配設された回転伝達軸を回転し、該回転伝達軸がそれに取り付けられた回転ギヤを回転させるとともに栓開閉摺動軸内を噛合い昇降され、該栓開閉摺動軸外周面に軸棒部を上下方向へ摺動させることを特徴とする請求項２記載の排水栓遠隔操作開閉装置。
【請求項４】
排水口に支持する支持部材に固設される栓開閉摺動軸と回転伝達軸との間には、栓蓋部に及ぼす軸方向の衝撃を吸収するショックアブソーバのスプリングが介在されることを特徴とする請求項３記載の排水栓遠隔操作開閉装置。
【発明の詳細な説明】
【技術分野】
【０００１】  本発明は、洗面器及び浴槽等の水槽の排水口を開閉する排水栓の遠隔操作開閉方法、及びその開閉装置に係るものである。
【背景技術】
【０００２】  従来の排水栓の遠隔操作開閉方法、及びその開閉装置は、排水口に離間して配設された操作部から排水口に位置する駆動部へ、レリースワイヤを介して操作が伝達され、排水栓の昇降による排水口の開閉をするものである。
しかしながら、この排水栓の遠隔操作開閉方法、及びその開閉装置は、排水管内にレリースワイヤを通すものであって、構造上によるシール性、そして設置施工、及びメンテナンスに課題を生じることにあった。【０００３】  そこで、排水管内にレリースワイヤを通さないで排水栓の昇降が行える排水栓の遠隔操作開閉方法、及びその開閉装置が提案された。
この排水栓の遠隔操作開閉方法、及びその開閉装置は、排水口を開閉させる排水栓の昇降が排水管内に配設するソレノイドで作動されるものであって、該ソレノイドが電磁力でプランジャを吸引作動及び復帰作動し、該プランジャに軸棒が繋げられた排水栓を昇降させ、排水口の開閉がされるものであった（特許文献１）。【０００４】  このソレノイドが排水管内に配設された開閉方法、及び開閉装置は、排水管内への電気配線工事を必要とし、この配線工事に困難を要した。そこで、排水管内への電気配線工事を不要とする排水栓の遠隔操作開閉方法、及びその開閉装置を得ることにある。
この排水栓の遠隔操作開閉方法、及びその開閉装置は、排水口を開閉する排水栓に磁性体を設けるとともに、排水管外側に電磁石を配設して、該電磁石が、操作スイッチによるＯＮ・ＯＦＦ制御されることによって、磁性体の吸着で排水栓を昇降するものがあった（特許文献２）。【０００５】  また、排水口を開閉する排水栓に従動用磁石を固設し、それとともに排水管外側に駆動用磁石を配設して、該駆動用磁石が排水管外周面に沿ってレリースワイヤの操作などで上下動させることによって、これに従動用磁石を追従させて排水栓を昇降し、排水口を開閉する排水栓の遠隔操作開閉方法、及びその開閉装置があった（特許文献３）。【０００６】
【特許文献１】  実開平１−１７４４７５
【特許文献２】  実開平５−１０５６４
【特許文献３】  特開２００１−２０３４０
【発明の開示】
【発明が解決しようとする課題】
【０００７】  ところで、排水管内にソレノイドが配設された排水栓の遠隔操作開閉方法、及びその開閉装置（特許文献１）は、電線を排水管内のソレノイドまで配線しなければならず、この電線の配線のため、構造を、特に絶縁及びシールの点から複雑化し、困難な電気工事が必要とされることで構造及びその施工工事を難しくしていた。【０００８】  また、排水管内に電線を配線しないものとして、排水口を開閉する排水栓に磁性体を設け、それとともに排水管外側に電磁石を配設し、該電磁石が操作スイッチによるＯＮ・ＯＦＦ制御されることで排水栓を昇降させるものがあるが、この排水栓の遠隔操作開閉方法、及びその開閉装置（特許文献２）は、排水管内までの電気配線工事でないものの、排水管外側の電磁石までの電気配線工事をしなければならず、この電気配線による絶縁及びシールの点などを考慮した工事が必要となり、構造及び施工工事を困難にしている。【０００９】  また、排水管内に電線を配線しないものとして、排水管には従動用磁石を固設し、排水管の外周面には、これに沿って上下動させる駆動用磁石を配設した排水栓の遠隔操作開閉方法、及びその開閉装置（特許文献３）があるが、しかし、この遠隔操作開閉方法、及びその開閉装置は、排水管内までの配線工事をしないでよいものの、遠隔操作部から駆動磁石までのレリースワイヤ等の伝達部材敷設の工事をしなければならず、工事を困難とするとともに構造を複雑化している。【００１０】  なお、この排水栓に設けた磁性体を排水管外側に配設された電磁石がＯＮ・ＯＦＦ制御で昇降する排水栓の遠隔操作開閉方法、及びその開閉装置、また、排水管の外周面に沿って上下動する駆動用磁石によって、排水管内の従動用磁石を追従させて、これに繋がる排水栓が昇降される排水栓の遠隔操作開閉方法、及びその開閉装置のいずれもが、それに生ずる磁力によって、排水口内、排水管内が磁性化され、水垢が付着し易くし、排水栓の昇降の動きを緩慢にし、排水口の開閉に支障を来たすことになった。【００１１】  そこで、本発明は、レリースワイヤの配設、及び電気配線、そしてその工事を全く不要とし、且つ、絶縁、シール性などの点から複雑化していた構造を単純簡単化し、施工をも簡素化、容易にできるようにし、しかも後付けのできる排水栓の遠隔操作開閉方法、及び開閉装置を得ることにある。
【課題を解決するための手段】
【００１２】  本発明の排水栓の遠隔操作開閉方法は、排水栓を設けた排水口と離間して遠隔位置に配設された操作部に開ボタンと閉ボタンを設け、開ボタンの操作がされた場合には、この開動作による開信号がデジタル信号処理される無線で送信部より排水栓内在の駆動部に送信されるとともに、開閉動作表示部に開動作表示され、また、閉ボタンの操作がされた場合には、この閉動作による閉信号がデジタル信号処理される無線で送信部より排水栓内在の駆動部に送信されるとともに、開閉動作表示部に閉動作表示され、排水栓内在の駆動部には、開または閉信号を受信する受信部、排水栓の開または閉状態を検出する開または閉センサー（位置センサー）、該開または閉信号による開または閉センサーのＯＮまたはＯＦＦの状態が判断されてモータを停止し、または、正転、逆転の作動をさせる開閉動作部が設けられ、駆動部の受信部に開または閉信号が受信されて、該駆動部の開閉動作部が、開信号を受信した場合には、該開信号によって排水栓配備の開センサー（位置センサー）の状態にＯＮが検出されたならばモータを停止し、ＯＦＦが検出されたならばモータを正転させ、回転伝達軸を回転上昇させて排水栓を開き、そして、閉信号を受信した場合には、該閉信号によって排水栓配備の閉センサー（位置センサー）の状態にＯＮが検出されたならばモータを停止し、ＯＦＦが検出されたならばモータを逆転させ、回転伝達軸を回転下降させて排水栓を閉じ、これらによる排水栓の開閉状態を開閉状態信号送信部によってデジタル信号処理される無線による送信で操作部の開閉状態信号受信部が受信されて、開閉状態表示切替部によって、開閉動作表示部を開閉動作表示から開閉状態表示に切替え表示するものである。【００１３】  本発明の排水栓の遠隔操作開閉装置は、排水栓を設けた排水口と離間して遠隔位置に配設された操作部には、排水栓の開閉操作をする開ボタンと閉ボタン、その開または閉ボタンの開閉動作を表示する開閉動作表示部、該開閉動作による開または閉信号を排水栓内在の駆動部へデジタル信号処理される無線で送信する開閉信号送信部、及び排水栓の開閉状態がデジタル信号処理される無線で受信され、開閉動作表示部の開または閉動作表示から開または閉状態表示に切替える開閉状態表示切替部を具備し、排水口を開閉する排水栓には、その内部に、電源（電池）と、操作部の開ボタンまたは閉ボタンの操作による開または閉信号をデジタル信号処理される無線で受信する開閉信号受信部、排水栓の開または閉状態を検出する開または閉センサー（位置センサー）、及び開または閉信号を受けて開または閉センサーのＯＮまたはＯＦＦの状態が判断されてモータを停止し、または、正転、逆転の作動をさせる開閉動作部でなる駆動部とが設けられ、操作部の開または閉ボタンの操作による開または閉信号が排水栓内在の駆動部の開閉信号受信部で受信されて、駆動部の開閉動作部によって、排水栓の開または閉状態を開または閉センサーのＯＮ、ＯＦＦによって検出し、開ボタンの操作による開信号で、開センサーにＯＮが検出されたならば排水栓内在のモータを停止し、開センサーにＯＦＦが検出されたならば排水栓内在のモータを正転させて回転伝達軸を回転上昇させ、排水栓を開き��閉ボタンの操作による閉信号で、閉センサーにＯＮが検出されたならば排出栓内在のモータを停止し、閉センサーにＯＦＦが検出されたならば排出栓内在のモータを逆転させて回転伝達軸を回転下降させ、排水栓を閉じる作動がされ、そしてモータの停止による排水栓の開閉状態をデジタル信号処理される無線で、操作部の排水栓開閉状態信号受信部に送信する開閉状態信号送信部が備えられているものである。【００１４】  本発明の排水栓遠隔操作開閉装置は、排水栓が、栓蓋部と軸棒部とで構成される本体ケースと、該本体ケースに被蓋する栓カバーとでなり、排水口の排水金具に支持された支持部材には栓開閉摺動軸が固設され、該栓開閉摺動軸に前記本体ケースがその軸棒部を摺動させて昇降され、本体ケース内には、電池（電源）と、開閉信号受信部、開閉センサー、開閉動作部等の駆動部とが埋設され、軸棒部には、支持部材に固設される栓開閉摺動軸を摺動昇降する軸棒部が摺動昇降する上限点とされる位置に開センサーを設置し、軸棒部が下限点とされる位置に閉センサーを設置し、開または閉ボタンの遠隔操作による開または閉信号によって開または閉センサーのＯＦＦ状態が判断されて、モータを正転または逆転し、この正転または逆転によって軸棒部内に配設された回転伝達軸を回転し、該回転伝達軸がそれに取り付けられた回転ギヤを回転させるとともに栓開閉摺動軸内を噛合い昇降され、該栓開閉摺動軸外周面に軸棒部を上下方向へ摺動させるものである。【００１５】  本発明の排水栓遠隔操作開閉装置は、排水口に支持する支持部材に固設される栓開閉摺動軸と回転伝達軸との間には、栓蓋部に及ぼす軸方向の衝撃を吸収するショックアブソーバのスプリングが介在されるものである。
【発明の効果】
【００１６】  本発明の排水栓遠隔操作開閉方法は、高性能の電源（電池）、モータ、受信器などが得られるようになったため小型化でき、排水栓の狭隘な本体ケース内に収納させることができ、且つシール性の優れたものにできたために、操作部より排水栓へ、無線での遠隔操作ができるようになった。そこで、施工及び取扱い、操作が簡便で、し易く出来るようになる。【００１７】  本発明の排水栓の遠隔操作開閉方法は、操作部の開または閉ボタンの操作で、開閉動作表示部に開閉動作が表示されるとともに、開閉状態表示が無線で排水栓から操作部へ送信されて切替えられるので、操作部のみで、排水栓の開閉動作及び開閉状態を知ることができ、簡素で、且つ単純の操作で排水栓の遠隔操作開閉ができる。【００１８】  本発明の排水栓遠隔操作開閉方法は、操作部における開または閉ボタンの操作の開または閉信号が無線で排水栓に送信され、排水栓内在の開閉センサーが排水栓の開閉状態を検出し、排水栓内在の駆動部が開または閉信号による開閉センサーのＯＮ・ＯＦＦの状態を判断して開閉動作部のモータを停止、正転、及び逆転し、この作動による開閉状態が無線で操作部へ送信され、この開閉状態の信号に基いて、操作部の開閉動作表示が排水栓の開閉状態表示に切替えられるので、規模を小型化にし、操作が、簡単且つ容易で、確実な作動をさせることができる。【００１９】  本発明の排水栓遠隔操作開閉方法は、操作部に開ボタンと閉ボタンとを設け、その各々の操作による開閉動作を無線で排水栓へ送信できるようにしたので、操作形態、及び動作が簡単化でき、且つ確実にできることになる。【００２０】  本発明の排水栓遠隔操作開閉方法は、無線での送信をデジタル信号処理ですることによって、性能の向上、機器の小型化が実現でき、低消費電力化を行うことができる。【００２１】  また、本発明の排水栓遠隔操作開閉装置は、操作部より排水栓への遠隔操作を無線で伝達するので、従来に要していた遠隔操作のためのレリースワイヤや電線を必要とせず、その上、その配設、配線のための構造がないので、全体構造を単純化し、施工工事が簡単、且つ容易にできることになる。【００２２】  本発明の排水栓遠隔操作開閉装置は、操作部の開または閉ボタンの操作が、この開閉動作を排水栓の駆動部へ無線で送信し、この開閉動作信号に基づき、開閉センサー（位置センサー）のＯＮ・ＯＦＦ状態を判断し、開ボタンの操作による開信号で開センサーにＯＮが検出されたならば排水栓内在のモータを停止し、開センサーにＯＦＦが検出されたならば排水栓内在のモータを正転して回転伝達軸を回転上昇し、閉ボタンの操作による閉信号で閉センサーにＯＮが検出されたならば排水栓内在のモータを停止し、閉センサーにＯＦＦが検出されたならば逆転して回転伝達軸を回転下降させるものであるので、排水栓の開閉構造が単純化でき、よって、小型化できるので狭い本体ケース内に収納することが容易にでき、被嵌する栓カバーとでなる排水栓内に埋設密閉することができるのでシール性に優れ、しかも、排水栓の昇降開閉の機能が優れたものにできる。【００２３】  そして、排水栓には、軸方向の衝撃を吸収するショックアブソーバを具備しているので、排水栓への踏込みの衝撃があっ��も問題なく、支障を来たすことがない。【００２４】  なお、本発明の排水栓遠隔操作開閉装置は、無線で処理する排水栓であるので、レリースワイヤ、電線などの付属物がなく、そこで、排水栓を単に排水口の排水金具へ装着し得ることができ、任意交換、及び後付け工事をもいとわずにできる。
【発明を実施するための形態】
【００２５】  本発明の排水栓遠隔操作開閉方法、及びその開閉装置は、洗面器及び浴槽等の排水口が、その排水口と離間する操作部よりの遠隔操作で、排水栓の昇降をして開閉されるものであって、その遠隔操作がデジタル信号処理される無線で行われるものである。
【００２６】  以上、図面をもって説明すると、図１で示す如く、排水口を開閉する排水栓Ａの駆動部Ａ１には、開閉信号受信部１、開閉センサー２、モータの正転、逆転、そして停止をさせる開閉動作部３、及び開閉状態信号送信部４が具備され、操作部Ｂには、開閉ボタン５（開ボタン５１、閉ボタン５２）、該開閉ボタンの操作で開閉動作が表示される開閉動作表示部６、開閉動作が無線による開閉信号で排水栓Ａへ送信させる開閉信号送信部７、そして排水栓の開閉状態を無線で受信する開閉状態信号受信部８、排水栓の開閉状態に基いて、開閉動作表示部６の開閉動作表示を開閉状態表示に切替える開閉状態表示切替部９を具備し、操作部Ｂの開または閉ボタン５による操作を無線によって送信する遠隔操作で排水栓Ａが開閉されるものである。
排水栓遠隔操作開閉方法は、操作部Ｂにおける開または閉ボタン５の操作で、操作部Ｂの開閉動作表示部６に開閉動作が表示されるとともに、開閉信号送信部７より無線で開閉信号が遠隔位置にある排水栓Ａに送信され、該排水栓Ａにある開閉信号受信部１で受信した開閉動作部３の開閉信号に対しての開閉センサー（位置センサー）２の開閉状態を判断し、この開閉センサー２のＯＮ・ＯＦＦ状態によって、開閉動作部３のモータを正転、逆転、そして停止させ、この動作による開閉状態が開閉状態信号送信部４により操作部Ｂの開閉状態信号受信部８へ無線で送信され、この開閉状態信号に基いて、開閉状態表示切替部９によって排水栓の開閉動作表示を開閉状態表示に切替えて表示するものである。
【００２７】  操作部Ｂにおける開閉ボタンの操作を開ボタン５１と閉ボタン５２とに分別した排水栓の遠隔操作開閉方法は、図２に示す如く、開ボタン５１の操作がされた場合には、この開動作とともに、開動作表示部６１に開動作表示され、開信号送信部７１より開信号が無線で、排水栓Ａ内在の駆動部Ａ１に送信され、また、閉ボタン５２の操作がされた場合には、この閉動作とともに、閉動作表示部６２に閉動作表示され、閉信号送信部７２より閉信号が無線で、排水栓Ａ内在の駆動部Ａ１に送信され、駆動部Ａ１の開閉信号受信部１に開閉信号が受信されて、開信号が受信された場合には、排水栓配備の開センサー（位置センサー）２１が排水栓Ａを開位置に位置していてＯＮ状態と判断されたならば、駆動部Ａ１のモータを停止し、排水栓Ａが開位置に位置しておらず、ＯＦＦ状態と判断されたならば、モータを正転させて、排水栓の軸棒部に装設されている回転伝達軸を正転させ、排水栓を上昇させ、この上昇により開センサー２１がＯＮの状態に位置されると停止する。
そして、この開状態を開状態信号送信部４１によって、無線で送信し、操作部Ｂの開閉状態信号受信部８で受信する。
また、閉信号が受信された場合には、閉動作部３２の排水栓配備の閉センサー（位置センサー）２２が排水栓Ａを閉位置に位置していてＯＮならば、駆動部Ａ１のモータを停止し、排水栓Ａを閉位置に位置しておらず、ＯＦＦならば、モータを逆転させて、排水栓の軸棒部に装設されている回転伝達軸の逆転で排水栓を下降させて、その結果、閉センサー２２がＯＮに位置されると停止される。
そして、この閉状態を閉状態信号送信部４２によって、無線で送信し、操作部Ｂの開閉状態信号受信部８で受信する。
操作部Ｂの開閉状態信号受信部８に受信された開閉状態信号が排水栓の開閉動作表示を開閉状態表示に切替えるに当って、開閉状態信号が開状態信号の場合は、開状態表示切替部９１によって、動作表示が開表示ならば、そのままの開表示で、動作表示が閉表示であるならば、閉動作表示から開状態表示に切替える。そして、開閉状態信号が閉状態信号の場合は、閉状態表示切替部９２によって、動作表示が閉表示ならば、そのままの閉表示で、動作表示が開表示であるならば、開動作表示から閉状態表示に切替える。
【００２８】  そして、無線をデジタル信号処理にすることは、デジタル信号処理が送信部と受信部などの簡素な機器で処理できることになり、この性能向上と、小型化を可能とし、低消費電力化が行えることに特徴がある。
【００２９】排水栓遠隔操作開閉装置は、図１、図２で示す如く、排水口と離間して遠隔位置に配設された操作部Ｂには、排水栓を開閉操作する開閉ボタン５（開ボタン５１、閉ボタン５２）、該開閉ボタンの開閉動作を表示する開閉動作表示部６、開閉動作を表示するとともにこの開閉動作を排水栓内在の駆動部Ａ１へ無線で送信する開閉信号送信部７、及び排水栓の開閉状態を無線で開閉状態信号受信部８に受信し、開閉動作表示部６の開閉動作表示から開閉状態表示に切替える切替部９を具備し、排水口を開閉する排水栓Ａには、電源と、操作部Ｂからの無線による開閉信号を受信する開閉信号受信部１、該開閉信号を受信して排水栓の開閉状態を検出する開閉センサー（位置センサー）２、及び該開閉センサーの開閉信号によるＯＮ・ＯＦＦが検出されてモータ３０１を停止し、または正転、逆転の作動をさせる開閉動作部３でなる駆動部Ａ１とが設けられ、開ボタン５１の操作で、開センサー２１のＯＮ状態が検出されたならば内在のモータ３０１を停止し、開センサー２１のＯＦＦ状態が検出されたならば内在のモータ３０１を正転させて回転伝達軸３０４を回転上昇させ、排水栓Ａを開き、また閉ボタン５２の操作で、閉センサー２２のＯＦＦ状態が検出されたならば内在のモータ３０１を逆転させて回転伝達軸３０４を回転下降させ、排水栓Ａ閉じる。そして、モータ３０１の停止による開閉状態信号を無線で操作部Ｂの開閉状態信号受信部８へ送信する開閉状態信号送信部４を備えたものである。
【００３０】  なお、操作部Ｂには、図２で示す如く、開ボタン５１と閉ボタン５２とを設け、そして、この開閉ボタンの開閉動作を表示する開閉動作表示部６を備えるものであってもよい。
【００３１】  排水栓Ａは、図３、図４で示す如く、栓蓋部１０１と軸棒部１０２とで構成される本体ケース１０と、該本体ケースに被嵌する栓カバー２０とでなり、該排水栓を排水口に支持させる支持部材Ｃが排水金具Ｄに固設され、本体ケース１０内には、電池（電源）Ｅ、開閉信号受信部１、開閉センサー２１，２２開閉動作部３、そして、開閉状態信号送信部４が埋設されている。
【００３２】  排水口より離間する操作部Ｂの開または閉ボタン５の操作で、開または閉信号がデジタル信号処理される無線で排水栓Ａに送信され、この開または閉動作信号を排水栓Ａの開閉信号受信部１に受信し、開または閉動作信号の受信で、開閉センサー２（開センサー２１，閉センサー２２）が排水栓Ａの開または閉状態を検出したこの検出に基いて開閉動作部３が作動され、その結果の開または閉状態を開または閉状態信号として、その開閉状態信号送信部４より操作部Ｂへ送信する。
【００３３】  開閉動作部３は、モータ３０１、減速機構３０２、回転ギヤ３０３、そして回転伝達軸３０４及び栓開閉摺動軸３０５でなる排水栓昇降軸３０などで構成し、操作部Ｂの開または閉ボタン５による開または閉動作信号が排水栓Ａの駆動部Ａ１に受信され、この開または閉動作信号に基いて、駆動部Ａ１の開または閉センサー２１，２２が検出された排水栓の開閉状態を判断し、開動作信号を受信して開センサー２１がＯＦＦならばモータ３０１を正転し、ＯＮならばモータ３０１を停止し、また、閉動作信号を受信して閉センサー２２がＯＦＦならばモータ３０１を逆転し、ＯＮならばモータ３０１を停止する。そして、モータ３０１が正転、又は逆転されると、減速機構３０２で回転が減速されて、軸棒部１０２内に配設された回転伝達軸３０４を回転し、該回転伝達軸の回転で回転ギヤ３０３が回転されるとともに、支持部材Ｃに固設の栓開閉摺動軸３０５内を噛合昇降し、該栓開閉摺動軸外周面が回転伝達軸３０４の回転による昇降とともに、軸棒部１０２を上下方向へ摺動させ、排水栓が開閉昇降される。
【００３４】  開または閉センサー２（開センサー２１、閉センサー２２）は、軸棒部１０２には、支持部材Ｃに固設される栓開閉摺動軸３０５を摺動昇降する軸棒部１０２が上限点とされる位置に開センサー２１を設置し、軸棒部１０２が下限点とされる位置に閉センサー２２を設置する。
【００３５】  支持部材Ｃに固設される軸棒部１０２の栓開閉摺動軸３０５には、即ち、回転ギヤ３０３の上方で、回転伝達軸３０４と栓開閉摺動軸３０５と間にはショックアブソーバのスプリングＦを介在し、排水栓の栓蓋部１０１に及ぼす衝撃を吸収する。
【００３６】  なお、この排水栓遠隔操作開閉装置は、排水口より離間する操作部Ｂより無線で遠隔操作できるものであるので、排水口の開閉で昇降する排水栓がそれ単独の排水口への施工工事をでき、よって、随時の交換を容易とし、また、後付け工事も容易にできるものである。
【図面の簡単な説明】
【００３７】
【図１】  排水栓遠隔操作開閉装置のブロック図である。
【図２】  排水栓遠隔操作開閉装置のフローチャート図である。
【図３】  排水栓遠隔操作開閉装置の排水栓の閉状態断面図である。
【図４】  排水栓遠隔操作開閉装置の排水栓の開状態断面図である。
【符号の説明】
【００３８】Ａ        排水栓
Ａ１      駆動部
Ｂ        操作部
Ｃ        支持部材
Ｄ        排水金具
Ｅ        電池
Ｆ        スプリング
１        開閉信号受信部
２        開閉センサー
２１      開センサー
２２      閉センサー
３        開閉動作部
３０      排水栓昇降軸
３０１    モータ
３０２    減速機構
３０３    回転ギヤ
３０４    回転伝達軸
３０５    栓開閉摺動軸
３１      開動作部
３２      閉動作部
４        開閉状態信号送信部
４１      開状態信号送信部
４２      閉状態信号送信部
５        開閉ボタン
５１      開ボタン
５２      閉ボタン
６        開閉動作表示部
６１      開動作表示部
６２      閉動作表示部
７        開閉信号送信部
７１      開信号送信部
７２      閉信号送信部
８        開閉状態信号受信部
９        開閉状態表示切替部
９１      開状態表示切替部
９２      閉状態表示切替部
１０      本体ケース
１０１    栓蓋部
１０２    軸棒部
２０      栓カバー
【図１】
0005288344.tif 000002
【図２】
0005288344.tif 000003
【図３】
0005288344.tif 000004
【図４】
0005288344.tif 000005